(57)【要約】【課題】簡素な構成でありながらカードを確実に保持することができ、小型で、製造が容易であり、コストが低く、信頼性が高くなるようにする。【解決手段】カードを収容するハウジングと、該ハウジングに取付けられ、該ハウジングとの間にカード収容空間を形成するカバー部材とを有するカード用コネクタであって、前記カバー部材は、前記カード収容空間内に収容されたカードの上面及び側縁に対向する天板部及び側板部と、前記カード収容空間内に収容されたカードをロックするロック部材とを備え、該ロック部材は、前記天板部に一体的に接続され、前記カードの挿入方向に延出するロック本体部と、該ロック本体部の先端に接続され、前記天板部の下方に向けて突出するロック凸部とを備えるカンチレバー状の板ばね部材であり、前記ロック凸部は、前記カード収容空間内に収容されたカードの側縁に形成された係合凹部に嵌入する。【選択図】図１
2013065458.tif 000002
【特許請求の範囲】
【請求項１】
（ａ）カードを収容するハウジングと、
（ｂ）該ハウジングに取付けられ、該ハウジングとの間にカード収容空間を形成するカバー部材とを有するカード用コネクタであって、
（ｃ）前記カバー部材は、前記カード収容空間内に収容されたカードの上面及び側縁に対向する天板部及び側板部と、前記カード収容空間内に収容されたカードをロックするロック部材とを備え、
（ｄ）該ロック部材は、前記天板部に一体的に接続され、前記カードの挿入方向に延出するロック本体部と、該ロック本体部の先端に接続され、前記天板部の下方に向けて突出するロック凸部とを備えるカンチレバー状の板ばね部材であり、
（ｅ）前記ロック凸部は、前記カード収容空間内に収容されたカードの側縁に形成された係合凹部に嵌入することを特徴とするカード用コネクタ。
【請求項２】
前記ロック凸部は、前記カードの挿入方向に延在する板部材であり、前記ロック本体部と直交する方向に延在する前縁を備え、該前縁は、前記係合凹部におけるカードの前端寄りの縁と対向する請求項１に記載のカード用コネクタ。
【請求項３】
前記ロック凸部は、前記ロック本体部の先端に接続されたロック連結部の先端を屈曲して形成され、前記ロック凸部及びロック連結部は、一体化して前記カードの挿入方向に延在する断面Ｌ字状の部材を形成する請求項１又は２に記載のカード用コネクタ。
【請求項４】
前記ロック凸部は、前記ロック本体部に対して傾斜し、上下斜め方向に延在する後縁を備える請求項１〜３のいずれか１項に記載のカード用コネクタ。
【請求項５】
前記ロック部材は、前記ロック本体部の途中から前記側板部の方向に向けて延出する操作部を備える請求項１〜４のいずれか１項に記載のカード用コネクタ。
【請求項６】
前記ロック本体部の基端部は、前記カードの挿入方向と直交する方向に延在する延長部を介して、前記天板部に接続されている請求項１〜５のいずれか１項に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  Ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カード用コネクタを備えている。
【０００３】
従来のカード用コネクタは、使い勝手の観点から、メモリカードを挿入する際にも又は取外す際にも、メモリカードを押込むように操作するプッシュ／プッシュ構造を有するものが一般的であったが、近年、電子機器の小型化及び低価格化に伴って、小型化及び低価格化するために、カードの案内機構を省略したカード用コネクタが提案されている（例えば、特許文献１参照。）。
【０００４】
図１１は従来のカード用コネクタを示す図である。
【０００５】
図において、８１１は、合成樹脂等の絶縁性材料から成るカード用コネクタのハウジングであり、金属から成る複数の接続端子８５１を備える。また、８６１は、カード用コネクタのシェルであり、金属板から成り、ハウジング８１１の上側に取付けられる。そして、シェル８６１とハウジング８１１との間の空間には、メモリカード９０１が挿入され、該メモリカード９０１の先端に配設された図示されないコンタクトパッドが対応する接続端子８５１と接触する。
【０００６】
前記シェル８６１は、その天板８６２に一体的に形成された折曲片８６８を備える。該折曲片８６８は、天板８６２に所定形状の切込を入れ、該切込で囲まれた部分を下方に折曲げることによって形成される。また、前記折曲片８６８には、傾斜部８６８ａと、該傾斜部８６８ａに接続された当接部８６８ｂとが形成されている。
【０００７】
そして、メモリカード９０１がハウジング８１１内に挿入されて利用者の手指によってプッシュされると、前記メモリカード９０１はハウジング８１１の奥方向（図における右方向）に押込まれる。すると、メモリカード９０１の傾斜面９１３が折曲片８６８の当接部８６８ｂに当接する。ここで、前記メモリカード９０１が更に押込まれると、当接部８６８ｂが傾斜面９１３に押圧されるので、折曲片８６８の傾斜部８６８ａ及び当接部８６８ｂが、ハウジング８１１に形成された収容凹部８１１ａ内に退避する。
【０００８】
続いて、前記メモリカード９０１が更に押込まれると、図に示されるように、折曲片８６８が自身の弾性によって元の形状に復元し、当接部８６８ｂがメモリカード９０１の側面に形成された係合凹部９１２と係合する。これにより、メモリカード９０１は、ハウジング８１１内に保持され、メモリカード９０１のコンタクトパッドと接続端子８５１との接触が維持される。
【先行技術文献】
【特許文献】
【０００９】
【特許文献１】特開２００３−２１７７４２号公報
【発明の概要】
【発明が解決しようとする課題】
【００１０】
しかしながら、前記従来のカード用コネクタにおいては、メモリカード９０１の取出し操作を考慮して、折曲片８６８の当接部８６８ｂよりもハウジング８１１の奥側に傾斜部８６８ａが形成されている。これにより、利用者の手指によってメモリカード９０１をハウジング８１１の手前方向に引くと、折曲片８６８の傾斜部８６８ａがメモリカード９０１の係合凹部９１２の縁によって押圧されるので、折曲片８６８の傾斜部８６８ａ及び当接部８６８ｂがハウジング８１１に形成された収容凹部８１１ａ内に退避し、メモリカード９０１をハウジング８１１から取出すことができる。しかし、例えば、カード用コネクタが装着された電子機器が衝撃を受けたような場合、衝撃によって折曲片８６８の傾斜部８６８ａがメモリカード９０１の係合凹部９１２の縁によって押圧され、折曲片８６８の傾斜部８６８ａ及び当接部８６８ｂがハウジング８１１に形成された収容凹部８１１ａ内に退避してしまい、ハウジング８１１内におけるメモリカード９０１の位置がずれて、メモリカード９０１のコンタクトパッドと接続端子８５１とが不接触となったり、メモリカード９０１がカード用コネクタから外れたりする可能性がある。
【００１１】
本発明は、前記従来のカード用コネクタの問題点を解決して、簡素な構成でありながらカードを確実に保持することができ、小型で、製造が容易であり、コストが低く、信頼性の高いカード用コネクタを提供することを目的とする。
【課題を解決するための手段】
【００１２】
そのために、本発明のカード用コネクタにおいては、カードを収容するハウジングと、該ハウジングに取付けられ、該ハウジングとの間にカード収容空間を形成するカバー部材とを有するカード用コネクタであって、前記カバー部材は、前記カード収容空間内に収容されたカードの上面及び側縁に対向する天板部及び側板部と、前記カード収容空間内に収容されたカードをロックするロック部材とを備え、該ロック部材は、前記天板部に一体的に接続され、前記カードの挿入方向に延出するロック本体部と、該ロック本体部の先端に接続され、前記天板部の下方に向けて突出するロック凸部とを備えるカンチレバー状の板ばね部材であり、前記ロック凸部は、前記カード収容空間内に収容されたカードの側縁に形成された係合凹部に嵌（かん）入する。
【００１３】
本発明の他のカード用コネクタにおいては、さらに、前記ロック凸部は、前記カードの挿入方向に延在する板部材であり、前記ロック本体部と直交する方向に延在する前縁を備え、該前縁は、前記係合凹部におけるカードの前端寄りの縁と対向する。
【００１４】
本発明の更に他のカード用コネクタにおいては、さらに、前記ロック凸部は、前記ロック本体部の先端に接続されたロック連結部の先端を屈曲して形成され、前記ロック凸部及びロック連結部は、一体化して前記カードの挿入方向に延在する断面Ｌ字状の部材を形成する。
【００１５】
本発明の更に他のカード用コネクタにおいては、さらに、前記ロック凸部は、前記ロック本体部に対して傾斜し、上下斜め方向に延在する後縁を備える。
【００１６】
本発明の更に他のカード用コネクタにおいては、さらに、前記ロック部材は、前記ロック本体部の途中から前記側板部の方向に向けて延出する操作部を備える。
【００１７】
本発明の更に他のカード用コネクタにおいては、さらに、前記ロック本体部の基端部は、前記カードの挿入方向と直交する方向に延在する延長部を介して、前記天板部に接続されている。
【発明の効果】
【００１８】
本発明によれば、カード用コネクタは、簡素な構成でありながらカードを確実に保持することができ、小型で、製造が容易であり、コストが低く、信頼性を高くすることができる。
【図面の簡単な説明】
【００１９】
【図１】本発明の第１の実施の形態におけるカード用コネクタを示す斜視図である。
【図２】本発明の第１の実施の形態におけるカード用コネクタの三面図であり、（ａ）は上面図、（ｂ）は正面図、（ｃ）は左側面図である。
【図３】本発明の第１の実施の形態におけるカード用コネクタに挿入されるカードの三面図であり、（ａ）は正面図、（ｂ）は下面図、（ｃ）は左側面図である。
【図４】本発明の第１の実施の形態におけるカード用コネクタにカードを挿入した状態を示す斜視図である。
【図５】本発明の第１の実施の形態におけるカード用コネクタにカードを挿入する途中の状態を示す図である。
【図６】本発明の第１の実施の形態におけるカード用コネクタにカードを挿入する途中の状態を示す要部拡大図であり、（ａ）はロック部材が変位する前の状態を示す図、（ｂ）はロック部材が変位する状態を示す図である。
【図７】本発明の第１の実施の形態におけるカード用コネクタに挿入されたカードをロックした状態を示す図であり、（ａ）は全体を示す図、（ｂ）は（ａ）における要部拡大図である。
【図８】本発明の第１の実施の形態におけるカード用コネクタに挿入されたカードを取出す動作を示す要部拡大図である。
【図９】本発明の第２の実施の形態におけるカード用コネクタの要部を示す要部拡大図である。
【図１０】本発明の第３の実施の形態におけるカード用コネクタにカードを挿入した状態を示す斜視図である。
【図１１】従来のカード用コネクタを示す図である。
【発明を実施するための形態】
【００２０】
以下、本発明の実施の形態について図面を参照しながら詳細に説明する。
【００２１】
図１は本発明の第１の実施の形態におけるカード用コネクタを示す斜視図、図２は本発明の第１の実施の形態におけるカード用コネクタの三面図、図３は本発明の第１の実施の形態におけるカード用コネクタに挿入されるカードの三面図、図４は本発明の第１の実施の形態におけるカード用コネクタにカードを挿入した状態を示す斜視図である。なお、図２において、（ａ）は上面図、（ｂ）は正面図、（ｃ）は左側面図であり、図３において、（ａ）は正面図、（ｂ）は下面図、（ｃ）は左側面図である。
【００２２】
図において、１は本実施の形態におけるカード用コネクタであり、図示されない電子機器に取付けられる。そして、前記カード用コネクタ１の内部にはカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２３】
また、カード１０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のＩＣカードであり、いかなる種類のカードであってもよいが、本実施の形態においては、マイクロＳＤ（Ｒ）カードであるものとして説明する。
【００２４】
本実施の形態において、前記カード１０１は、図３に示されるような形状を備える。カード１０１は、全体的に略矩（く）形の板状の形状を有し、下面の前端寄りの位置には、複数の端子部材としてのコンタクトパッド１５１が前端１１１ａに沿って並んだ状態で配設されている。
【００２５】
また、カード１０１の一方の側縁、すなわち、右側縁には係合凹部としての第１凹部１１３ａ及び第２凹部としての前方切欠き部１１３ｂが形成されている。該前方切欠き部１１３ｂは、カード１０１の前端１１１ａと前記右側縁との角部を所定範囲に亘（わた）って欠落させたものであり、前後方向に対して傾斜した傾斜部１１３ｃを含み、略台形の形状を備える。これにより、カード１０１の前端１１１ａ寄りの部分には後端１１１ｂ寄りの部分よりも幅の狭い幅狭部１１４が形成される。なお、該幅狭部１１４においても、左右の側縁は平行である。そして、前記第１凹部１１３ａの前端１１１ａ寄りの縁は、側縁に対してほぼ直交してカード１０１の幅方向に延在する係止縁１１３ａ１であり、前記第１凹部１１３ａの後端１１１ｂ寄りの縁は、側縁に対して傾斜した方向に延在する傾斜縁１１３ａ２である。また、係止縁１１３ａ１及び傾斜縁１１３ａ２は、カード１０１の右側縁の一部なので、該右側縁と同様に、カード１０１の上面及び下面に対してほぼ直交してカード１０１の厚さ方向に延在する。
【００２６】
なお、本実施の形態において、カード用コネクタ１及びカード１０１の各部の構成及び動作を説明するために使用される上、下、左、右、前、後等の方向を示す表現は、絶対的なものでなく相対的なものであり、カード用コネクタ１、カード１０１又はそれらの部品が図に示される姿勢である場合に適切であるが、カード用コネクタ１、カード１０１又はそれらの部品の姿勢が変化した場合には、姿勢の変化に応じて変更して解釈されるべきものである。
【００２７】
ここで、前記カード用コネクタ１は、合成樹脂等の絶縁性材料によって一体的に成形されたハウジング１１と、金属等の導電性材料から成り、ハウジング１１に取付けられた図示されない複数の接続端子と、金属等の導電性材料から成る板材に打抜き、折曲げ等の加工を施すことによって一体的に成形され、ハウジング１１の上側に取付けられたカバー部材としてのシェル６１とを有する。
【００２８】
該シェル６１は、ハウジング１１及び該ハウジング１１に収容されたカード１０１の上面に対向し、該上面の少なくとも一部の上方を覆うようになっている。なお、図に示される例において、シェル６１は、ハウジング１１の全体を覆っており、図２（ａ）に示されるように、上方から観て、ハウジング１１は、その一部を除き、シェル６１の陰に隠れている。そして、前記カード用コネクタ１は、概略、扁（へん）平な直方体形状を備え、前記電子機器に取付けられ、ハウジング１１とシェル６１との間に形成されたカード収容空間１７に、手前側、すなわち、前記シェル６１の後端６１ｂ側からカード１０１が挿入される。
【００２９】
また、前記ハウジング１１は、略矩形の板状の部材であり、その上面（シェル６１側の面）に複数の接続端子が取付けられている。具体的には、前記ハウジング１１の平面形状は、カード１０１の平面形状と略同様であり、前端と一方の側縁との角部が欠落し、前端寄りの部分が後端寄りの部分よりも幅が狭くなっている。
【００３０】
なお、前記接続端子の各々は、ハウジング１１の上面に露出し、カード１０１の下面の対応するコンタクトパッド１５１に接触して電気的に接続される接触部と、ハウジング１１の下面に露出し、前記電子機器における配線基板等に形成された信号線、コンタクトパッド、端子等、すなわち、相手方端子部材に、はんだ付等によって電気的に接続されるテール部とを備える。
【００３１】
また、前記シェル６１は、概略矩形の天板部６２と、該天板部６２の複数箇所の側縁（具体的には、両側縁及び奥側縁）から立設する複数の側板部６４とを有する。該側板部６４は、シェル６１の左側に位置する左側板部６４ａ、シェル６１の右側における後端６１ｂ寄りに位置する右後側板部６４ｂ、シェル６１の右側における前端６１ａ寄りに位置する右前側板部６４ｃ、及び、シェル６１の前端６１ａに位置する前側板部６４ｄを含み、ハウジング１１に収容されたカード１０１の側縁に対向する。なお、前記左側板部６４ａ、右後側板部６４ｂ、右前側板部６４ｃ及び前側板部６４ｄを統合的に説明するときは、側板部６４として説明する。
【００３２】
そして、前記側板部６４の下端縁からは、複数の固定片６５が天板部６２と平行な方向に延出する。前記固定片６５のうちの少なくとも一つは、前記電子機器における配線基板等に形成されたグランド線、放熱板等に接続された固定用パッドに、はんだ付等によって固定されてもよい。グランド線に接続されることによって、遮蔽効果や静電防止効果が得られ、また、放熱板等に接続された固定用パッドに接続されることによって、カード１０１やカード用コネクタ１に生じる熱を伝熱させることができる。また、典型的には、前記固定片６５のうちのいくつかは、シェル６１の外方に向けて延出してもよいし、他の固定片６５はシェル６１の内方に向けて延出してもよい。そして、シェル６１の内方に向けて延出する固定片６５は、ハウジング１１の下面に当接し、シェル６１をハウジング１１に固定する機能を発揮する。
【００３３】
なお、シェル６１の天板部６２は、典型的には、カード１０１の上面よりやや小さい程度の大きさである。そして、前記天板部６２の形状は、カード１０１の平面形状と略同様であり、前端６１ａと一方の側縁との角部が欠落し、前端６１ａ寄りの部分が後端６１ｂ寄りの部分よりも幅が狭くなっている。具体的には、右後側板部６４ｂと右前側板部６４ｃとの間に段差部６４ｅがあり、右前側板部６４ｃのほうが右後側板部６４ｂよりも左側板部６４ａに接近している。すなわち、左側板部６４ａと右後側板部６４ｂとの間隔よりも、左側板部６４ａと右前側板部６４ｃとの間隔のほうが短くなっている。なお、右後側板部６４ｂと右前側板部６４ｃとは互いに平行であり、かつ、両者ともに左側板部６４ａと平行である。また、前記段差部６４ｅは開口となっている。
【００３４】
そして、シェル６１は、少なくとも一つのロック部材６８を備える。ここでは、説明の都合上、天板部６２と右後側板部６４ｂとの境界部分にロック部材６８が一つだけ形成されている例についてのみ説明する。該ロック部材６８は、天板部６２及び右後側板部６４ｂの一部を切起して形成したカンチレバー状の板ばね部材であり、その基端部が天板部６２に一体的に接続され、前端６１ａに向けて延出する天板部６２と平行なロック本体部６８ａと、該ロック本体部６８ａの先端に、ロック連結部６８ｃを介して、接続されたロック凸部６８ｂとを備える。具体的にはロック本体部６８ａの先端に、シェル６１の外方に向けて、すなわち、右後側板部６４ｂの方に向けて延出するロック本体部６８ａと同一平面を形成するロック連結部６８ｃが一体的に接続され、該ロック連結部６８ｃの先端部分を天板部６２の下方に向けて、すなわち、ハウジング１１の方向に向けて突出するようにロック凸部６８ｂが屈曲形成されている。該ロック凸部６８ｂは、右後側板部６４ｂと平行であり、天板部６２及びロック本体部６８ａと直交する方向に延在する板部材である。なお、前記ロック連結部６８ｃとロック凸部６８ｂとの境界部分には、操作部としての貫通孔（こう）６８ｄが形成されている。また、前記ロック部材６８の周囲は、天板部６２及び右後側板部６４ｂの一部が除去され、開口部６７となっている。そして、前記ロック部材６８は、天板部６２に対して直交する方向、すなわち、上下方向に弾性的に変位する。
【００３５】
これにより、ハウジング１１とシェル６１との間のカード収容空間１７に挿入されたカード１０１の側縁に形成された第１凹部１１３ａにロック部材６８のロック凸部６８ｂが嵌入して係合するので、カード１０１を確実にロックして保持することができる。
【００３６】
次に、前記カード用コネクタ１にカード１０１を挿入する動作について説明する。
【００３７】
図５は本発明の第１の実施の形態におけるカード用コネクタにカードを挿入する途中の状態を示す図、図６は本発明の第１の実施の形態におけるカード用コネクタにカードを挿入する途中の状態を示す要部拡大図、図７は本発明の第１の実施の形態におけるカード用コネクタに挿入されたカードをロックした状態を示す図、図８は本発明の第１の実施の形態におけるカード用コネクタに挿入されたカードを取出す動作を示す要部拡大図である。なお、図６において、（ａ）はロック部材が変位する前の状態を示す図、（ｂ）はロック部材が変位する状態を示す図であり、図７において、（ａ）は全体を示す図、（ｂ）は（ａ）における要部拡大図である。
【００３８】
図６及び７（ｂ）に示されるように、シェル６１に形成されたロック部材６８のロック凸部６８ｂは、天板部６２及びロック本体部６８ａと直交して上下方向に延在する係止縁６８ｂ１と、天板部６２及びロック本体部６８ａに対して傾斜し、上下斜め方向に延在する傾斜縁６８ｂ２とを備える。前記係止縁６８ｂ１は、ロック凸部６８ｂの前縁（前端６１ａ寄りの縁）であり、前記傾斜縁６８ｂ２は、ロック凸部６８ｂの後縁（後端６１ｂ寄りの縁）である。なお、カード１０１が挿入されていない初期状態において、ロック本体部６８ａ及びロック連結部６８ｃの面は、周囲の天板部６２とほぼ面一となっている。
【００３９】
また、図２に示されるように、ロック部材６８のロック凸部６８ｂは、右後側板部６４ｂよりもシェル６１の内方に位置する。すなわち、右後側板部６４ｂと左側板部６４ａとの間隔より、ロック凸部６８ｂと左側板部６４ａとの間隔のほうが短くなっている。これにより、ロック凸部６８ｂは、カード収容空間１７に挿入されたカード１０１の第１凹部１１３ａと確実に係合することができる。
【００４０】
まず、カード１０１を挿入する場合、利用者が手指等によってカード１０１をカード用コネクタ１の手前側、すなわち、シェル６１の後端６１ｂ側からハウジング１１とシェル６１との間に形成されたカード収容空間１７に挿入する。なお、カード１０１は、コンタクトパッド１５１の配設された面がハウジング１１と対向し、コンタクトパッド１５１の配設されていない面がシェル６１の天板部６２と対向し、前端１１１ａがシェル６１の前端６１ａの方を向くような姿勢で、挿入される。
【００４１】
これにより、カード１０１は、第１凹部１１３ａ及び前方切欠き部１１３ｂが形成されている方の側縁、すなわち、右側の側縁がシェル６１における右前側板部６４ｃに沿って、かつ、他方の側縁、すなわち、左側の側縁がシェル６１における左側板部６４ａに沿って進行する。
【００４２】
なお、図５及び６（ａ）は、カード１０１の挿入工程の比較的初期の段階を示し、前端１１１ａ、幅狭部１１４及びその近傍のみがカード収容空間１７内に挿入された状態であって、傾斜部１１３ｃがロック部材６８のロック凸部６８ｂの手前に到達した状態を示している。なお、シェル６１の固定片６５がグランド線に接続されている場合、この到達した状態で、カード１０１の静電気がロック部材６８を介してグランド線へ電気的に漏洩するので、カード１０１等の電子部品の破損を防止することができる。
【００４３】
続いて、利用者が図５及び６（ａ）に示される状態からカード１０１を更に押込むと、カード１０１の傾斜部１１３ｃがロック部材６８のロック凸部６８ｂに当接し、図６（ｂ）に示されるように、ロック部材６８がシェル６１の上側方向に変位する。すなわち、ロック本体部６８ａの先端及びロック連結部６８ｃが天板部６２よりも上方に突出するように変位する。カード１０１の傾斜部１１３ｃは、ロック部材６８のロック凸部６８ｂに当接する際には、傾斜縁６８ｂ２に当接するので、スムーズにロック部材６８をシェル６１の上側方向に変位させることができる。したがって、カード１０１は、ロック部材６８からあまり大きな抵抗力を受けることなく、進行することができ、利用者は、カード１０１を容易に押込むことができる。
【００４４】
さらに、カード１０１の進行方向に関して、ロック凸部６８ｂは、ロック本体部６８ａが天板部６２に接続される部分よりも後方に位置する。すなわち、ロック凸部６８ｂは、カンチレバー状の板ばね部材であるロック部材６８のトレーリング側に位置する。そのため、カード１０１は、あまり大きな抵抗力を受けることなく、ロック凸部６８ｂをシェル６１の上側方向に変位させることができる。したがって、カード１０１は、極めてスムーズに進行することができ、利用者は、カード１０１を極めて容易に押込むことができる。
【００４５】
続いて、利用者が図６（ｂ）に示される状態からカード１０１を更に押込むと、カード１０１の前端１１１ａがシェル６１の前端６１ａに当接又は近接し、図７に示されるような状態になり、カード用コネクタ１の内部へのカード１０１の挿入が完了する。
【００４６】
この状態において、カード１０１のコンタクトパッド１５１の各々は、カード用コネクタ１の対応する接続端子の接触部と接触して電気的に接続される。また、カード１０１の前端１１１ａ寄りの幅狭部１１４は、シェル６１の前端６１ａ寄りに位置する右前側板部６４ｃと左側板部６４ａとの間に位置し、カード１０１の傾斜部１１３ｃは、シェル６１の右前側板部６４ｃと右後側板部６４ｂとの間の段差部６４ｅに位置し、カード１０１の後端１１１ｂ寄りの部分における少なくとも第１凹部１１３ａを含む部分は、シェル６１の後端６１ｂ寄りに位置する右後側板部６４ｂと左側板部６４ａとの間に位置する。さらに、カード１０１の上面の広い範囲がシェル６１の天板部６２に覆われている。そのため、カード用コネクタ１内におけるカード１０１の姿勢が安定し、コンタクトパッド１５１と接続端子との電気的接続が安定的に維持される。
【００４７】
また、ロック部材６８のロック凸部６８ｂは、カード１０１の右側側縁に形成された第１凹部１１３ａ内に嵌入して係合している。そのため、カード１０１は、カード用コネクタ１内に確実にロックされて保持される。
【００４８】
図３（ｂ）に示されるように、第１凹部１１３ａは、カード１０１の側縁に対してほぼ直交してカード１０１の幅方向に延在する係止縁１１３ａ１を備え、前端１１１ａ寄りの部分を上方から観た形状は、略直角の鉤（かぎ）型となっている。前記係止縁１１３ａ１は、第１凹部１１３ａの前端１１１ａ寄りの縁であり、ロック凸部６８ｂが第１凹部１１３ａに嵌入した状態で、ロック凸部６８ｂの前縁であってロック本体部６８ａ及びロック連結部６８ｃと直交する方向に延在する係止縁６８ｂ１と対向する部位である。
【００４９】
そのため、前記電子機器に振動、衝撃等が加えられたり、利用者等が誤ってカード１０１を引張ったりして、カード収容空間１７から引出す方向の外力がカード１０１に付与された場合、図７（ｂ）に示されるように、第１凹部１１３ａの係止縁１１３ａ１がロック凸部６８ｂの係止縁６８ｂ１に当接して係止されるので、カード１０１がそれ以上挿入方向と反対方向に移動することがない。したがって、カード収容空間１７から抜出てカード用コネクタ１から離脱することが防止されるのみならず、コンタクトパッド１５１と接続端子との接触状態が解除されることも防止される。
【００５０】
ロック凸部６８ｂが第１凹部１１３ａに嵌入した状態において、ロック本体部６８ａ及びロック連結部６８ｃの面は、初期状態と同様に、周囲の天板部６２とほぼ面一となっている。したがって、ロック本体部６８ａ及びロック連結部６８ｃの面に対して直交する係止縁６８ｂ１は、天板部６２に対してほぼ直交し、上下方向に延在している。一方、カード１０１の右側縁は、カード１０１の上面に対してほぼ直交して上下方向に延在するので、右側縁の一部である第１凹部１１３ａの係止縁１１３ａ１も、カード１０１の上面に対してほぼ直交して上下方向に延在する。したがって、第１凹部１１３ａの係止縁１１３ａ１は、カード１０１の上面に対向する天板部６２に対してほぼ直交しているので、係止縁６８ｂ１とは、互いに平行である。また、第１凹部１１３ａの係止縁１１３ａ１は、カード１０１の右側縁に対してほぼ直交してカード１０１の幅方向に延在している。したがって、第１凹部１１３ａの係止縁１１３ａ１は、シェル６１の右後側板部６４ｂに対してほぼ直交している。これにより、ロック凸部６８ｂの係止縁６８ｂ１と第１凹部１１３ａの係止縁１１３ａ１とは、互いに平行で、かつ、第１凹部１１３ａの係止縁１１３ａ１が右後側板部６４ｂに対してほぼ直交、すなわち、挿入方向に対してほぼ直交しているので、係止状態が解除されることがない。
【００５１】
さらに、ロック凸部６８ｂは、カード１０１の進行方向に関して、ロック本体部６８ａが天板部６２に接続される部分よりも後方に位置するので、カード１０１の進行方向と反対方向に関しては、ロック本体部６８ａが天板部６２に接続される部分よりも前方に位置する。すなわち、カード１０１をカード収容空間１７から引出す場合、ロック凸部６８ｂは、カンチレバー状の板ばね部材であるロック部材６８のリーディング側に位置する。そのため、引出す方向の外力がカード１０１に付与された場合、ロック凸部６８ｂは第１凹部１１３ａに食込むように作用する。したがって、該ロック凸部６８ｂがシェル６１の上側方向に変位することがなく、ロック凸部６８ｂの係止縁６８ｂ１が第１凹部１１３ａの係止縁１１３ａ１に食込み、係止状態が解除されることがない。
【００５２】
なお、カード１０１をカード用コネクタ１から取出す場合には、図８に示されるように、利用者が、針、ピン等の極細の棒状の操作部材の先端を貫通孔６８ｄに挿入して引掛け、前記操作部材を引上げることによってロック凸部６８ｂをシェル６１の上側方向に変位させ、ロック凸部６８ｂの係止縁６８ｂ１と第１凹部１１３ａの係止縁１１３ａ１との係止状態を解除させる。そして、ロック凸部６８ｂをシェル６１の上側方向に変位させたままで、カード１０１の後端１１１ｂ近傍を指等によって保持してカード１０１を引張り、カード収容空間１７から引出す。これにより、容易に、かつ、短時間でカード１０１をカード用コネクタ１から取出すことができる。
【００５３】
ところで、操作部材を引上げることによってロック凸部６８ｂをシェル６１の上側方向に変位させなくても、利用者が必要以上に大きな力によってカード１０１を引張ると、すなわち、いわゆる無理抜きが行われると、ロック凸部６８ｂがシェル６１の上側方向に変位してしまうので、ロック凸部６８ｂの係止縁６８ｂ１と第１凹部１１３ａの係止縁１１３ａ１との係止状態が強引に解除され、カード１０１がカード用コネクタ１から取出されてしまう。
【００５４】
通常、無理抜きが行われると、必要異常に大きな力が付与されるので、ロック部材６８は、塑性変形してしまい、以降はカード用コネクタ１の内部のカード１０１をロックすることができなくなる、すなわち、カード１０１をロックする機能を喪失してしまう。
【００５５】
しかしながら、本実施の形態において、ロック凸部６８ｂはロック連結部６８ｃの先端を屈曲して形成され、ロック凸部６８ｂ及びロック連結部６８ｃは、一体化して前後方向、すなわち、カード１０１の挿入方向に延在し、かつ、前方から観て、すなわち、断面がＬ字状の部材を形成している。つまり、ロック連結部６８ｃと一体のロック凸部６８ｂは、無理抜きが行われた場合に、カード１０１の第１凹部１１３ａの係止縁１１３ａ１から受ける力に対して、大きな断面二次係数を備え、曲がり難くなっている。
【００５６】
そのため、仮に無理抜きが行われても、一体化しているロック凸部６８ｂ及びロック連結部６８ｃは変形することがなく、平板であるロック本体部６８ａとロック連結部６８ｃとの接続部分が塑性変形して屈曲し、へ字状となる、と考えられる。つまり、ロック本体部６８ａに対して、ロック凸部６８ｂ及びロック連結部６８ｃの先端が斜め下方を向くようになる。
【００５７】
したがって、無理抜きが行われた以降も、ロック凸部６８ｂの係止縁６８ｂ１が上下斜め方向に延在するために第１凹部１１３ａの係止縁１１３ａ１を係止する能力が低下するものの、ロック凸部６８ｂが第１凹部１１３ａを係止する能力は十分に維持される。すなわち、一旦無理抜きが行われた以降であっても、カード収容空間１７に挿入されたカード１０１は、第１凹部１１３ａにロック凸部６８ｂが嵌入して係合するので、カード収容空間１７から抜出てカード用コネクタ１から離脱することが確実に防止される。
【００５８】
このように、本実施の形態において、シェル６１は、カード収容空間１７内に収容されたカード１０１の上面及び側縁に対向する天板部６２及び側板部６４と、カード収容空間１７内に収容されたカード１０１をロックするロック部材６８とを備え、ロック部材６８は、天板部６２に一体的に接続され、カード１０１の挿入方向に延出するロック本体部６８ａと、ロック本体部６８ａの先端に接続され、天板部６２の下方に向けて突出するロック凸部６８ｂとを備えるカンチレバー状の板ばね部材であり、ロック凸部６８ｂは、カード収容空間１７内に収容されたカード１０１の側縁に形成された第１凹部１１３ａに嵌入する。
【００５９】
これにより、カード用コネクタ１は、小型で、かつ、簡素な構成でありながら、カード収容空間１７内に挿入されて収容されたカード１０１を確実に位置決めすることができるとともに、確実に保持することができる。また、部品点数が少なく、製造が容易であり、コストが低いながらも、信頼性の高いカード用コネクタ１を得ることができる。
【００６０】
また、ロック凸部６８ｂは、カード１０１の挿入方向に直交する方向に延在する板部材であり、ロック本体部６８ａと直交する方向に延在する係止縁６８ｂ１を備え、係止縁６８ｂ１は、第１凹部１１３ａにおけるカード１０１の前端１１１ａ寄りの係止縁１１３ａ１と対向する。したがって、ロック凸部６８ｂの係止縁６８ｂ１と第１凹部１１３ａの係止縁１１３ａ１との係止状態が解除されることがない。
【００６１】
さらに、ロック凸部６８ｂは、ロック本体部６８ａの先端に接続されたロック連結部６８ｃの先端を屈曲して形成され、ロック凸部６８ｂ及びロック連結部６８ｃは、一体化してカード１０１の挿入方向に延在する断面Ｌ字状の部材を形成する。これにより、無理抜きが行われても、一体化しているロック凸部６８ｂ及びロック連結部６８ｃは変形することがない。したがって、一旦無理抜きが行われた以降であっても、第１凹部１１３ａにロック凸部６８ｂが嵌入して係合するので、カード１０１がカード収容空間１７から抜出てカード用コネクタ１から離脱することが確実に防止される。
【００６２】
さらに、ロック凸部６８ｂは、ロック本体部６８ａに対して傾斜し、上下斜め方向に延在する傾斜縁６８ｂ２を備える。これにより、カード１０１は、ロック部材６８からあまり大きな抵抗力を受けることなく、進行することができ、利用者は、カード１０１を容易に押込むことができる。
【００６３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６４】
図９は本発明の第２の実施の形態におけるカード用コネクタの要部を示す要部拡大図である。
【００６５】
本実施の形態におけるロック部材６８は、ロック本体部６８ａの途中に接続され、シェル６１の外方に向けて、すなわち、右後側板部６４ｂの方に向けて延出するロック本体部６８ａと同一平面を形成する操作片６８ｅを更に備える。該操作片６８ｅは、図に示されるように、ロック連結部６８ｃよりも基端部寄りの位置においてロック本体部６８ａの側縁に一体的に接続され、ロック連結部６８ｃよりも外方に突出する部材であり、操作部として機能する。
【００６６】
そして、カード１０１をカード用コネクタ１から取出す場合には、利用者が手指等によって操作片６８ｅを引上げることによりロック凸部６８ｂをシェル６１の上側方向に変位させ、ロック凸部６８ｂの係止縁６８ｂ１と第１凹部１１３ａの係止縁１１３ａ１との係止状態を解除させる。
【００６７】
なお、その他の点の構造及び動作については、前記第１の実施の形態と同様であるので、説明を省略する。
【００６８】
このように、本実施の形態においては、ロック部材６８が操作片６８ｅを備えるので、利用者は、針、ピン等の操作部材を使用することなく、ロック凸部６８ｂをシェル６１の上側方向に変位させることができる。したがって、利用者は、手指等による操作片６８ｅの操作により、ロック凸部６８ｂと第１凹部１１３ａとの係止状態の解除を容易に行うことができる。
【００６９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７０】
図１０は本発明の第３の実施の形態におけるカード用コネクタにカードを挿入した状態を示す斜視図である。
【００７１】
本実施の形態におけるロック部材６８は、ロック本体部６８ａと天板部６２との間に配設された延長部６８ｆを更に備える。該延長部６８ｆは、その基端部が天板部６２に一体的に接続され、カード１０１の挿入方向と直交する方向に延在し、すなわち、右後側板部６４ｂに向けて延出し、その先端部に、前端６１ａに向けて延出するロック本体部６８ａの基端部が一体的に接続されている。つまり、本実施の形態において、ロック本体部６８ａは、直接には天板部６２に接続されておらず、延長部６８ｆを介して天板部６２に接続されている。また、ロック本体部６８ａ及び延長部６８ｆは、上から観て、略Ｌ字状となっている。さらに、カード１０１が挿入されていない初期状態においても、カード１０１が挿入された状態においても、ロック本体部６８ａ及び延長部６８ｆの面は、周囲の天板部６２とほぼ面一となっている。
【００７２】
なお、その他の点の構造及び動作については、前記第１の実施の形態と同様であるので、説明を省略する。
【００７３】
このように、本実施の形態においては、ロック部材６８がロック本体部６８ａと天板部６２との間に配設された延長部６８ｆを備えるので、弾性的に変形可能な部分の長さ、すなわち、ばね長が長くなっている。したがって、利用者は、少しの力を付与するだけで、ロック凸部６８ｂをシェル６１の上側方向に変位させることができるので、ロック凸部６８ｂと第１凹部１１３ａとの係止状態の解除を容易に行うことができる。
【００７４】
なお、本発明は前記実施の形態に限定されるものではなく、本発明の趣旨に基づいて種々変形させることが可能であり、それらを本発明の範囲から排除するものではない。
【産業上の利用可能性】
【００７５】
本発明は、カード用コネクタに適用することができる。
【符号の説明】
【００７６】
１    カード用コネクタ
１１、８１１    ハウジング
１７    カード収容空間
６１、８６１    シェル
６１ａ、１１１ａ    前端
６１ｂ、１１１ｂ    後端
６２    天板部
６４ａ    左側板部
６４ｂ    右後側板部
６４ｃ    右前側板部
６４ｄ    前側板部
６４ｅ    段差部
６５    固定片
６７    開口部
６８    ロック部材
６８ａ    ロック本体部
６８ｂ    ロック凸部
６８ｂ１、１１３ａ１    係止縁
６８ｂ２、１１３ａ２    傾斜縁
６８ｃ    ロック連結部
６８ｄ    貫通孔
６８ｅ    操作片
６８ｆ    延長部
１０１    カード
１１３ａ    第１凹部
１１３ｂ    前方切欠き部
１１３ｃ、８６８ａ    傾斜部
１１４    幅狭部
１５１    コンタクトパッド
８１１ａ    収容凹部
８５１    接続端子
８６２    天板
８６８    折曲片
８６８ｂ    当接部
９０１    メモリカード
９１２    係合凹部
９１３    傾斜面
【図１】
2013065458.tif 000003
【図２】
2013065458.tif 000004
【図３】
2013065458.tif 000005
【図４】
2013065458.tif 000006
【図５】
2013065458.tif 000007
【図６】
2013065458.tif 000008
【図７】
2013065458.tif 000009
【図８】
2013065458.tif 000010
【図９】
2013065458.tif 000011
【図１０】
2013065458.tif 000012
【図１１】
2013065458.tif 000013